(57)【要約】【課題】簡単な構造でグローブの位置決め性を良好にして施工性の向上を図ることができる照明器具を提供する。【解決手段】照明器具１０は、器具本体１１と、器具本体１１上に取り付けられた電子式安定器１２と、電子式安定器１２を覆い、充電部保護カバーを兼ねるブロックカバー１３と、ブロックカバー１３の下方に配置された蛍光灯ランプ１４と、蛍光灯ランプ１４を含む器具本体１１の下面全体を覆う透光性のグローブ１５と、器具本体１１の外周に取り付けられてグローブ１５を回転取付するグローブ止め具１６と、を備え、ブロックカバー１３の一部にグローブ１５を器具本体１１へ誘導するためのガイド部１８を設けた。【選択図】図１
2010251211.tif 000002
【特許請求の範囲】
【請求項１】
器具本体と、
前記器具本体上に取り付けられた電子式安定器と、
前記電子式安定器を覆い、充電部保護カバーを兼ねるブロックカバーと、
前記ブロックカバーの下方に配置された蛍光灯ランプと、
前記蛍光灯ランプを含む前記器具本体の下面全体を覆う透光性のグローブと、
前記器具本体の外周に取り付けられて前記グローブを回転取付するグローブ止め具と、
を備えた照明器具であって、
前記ブロックカバーの一部に前記グローブを前記器具本体へ誘導するためのガイド部を設けたことを特徴とする照明器具。
【請求項２】
前記ガイド部は、前記器具本体の外周部に向かうほど天井面に接近するように傾斜していることを特徴とする請求項１に記載した照明器具。
【請求項３】
前記ガイド部は、回転取付けされる前記グローブの取付け時に最初に前記器具本体側に接する箇所の回転軌跡上に配置されていることを特徴とする請求項１または２に記載した照明器具。
【発明の詳細な説明】
【技術分野】
【０００１】
本発明は、例えば住宅等の天井面に直接取り付けられる直付型の照明器具に関する。
【背景技術】
【０００２】
本発明者らは、点灯回路部と赤外線リモコン信号を受信する受光素子とを同一の回路基板上に実装した安定器を有する照明器具を既に提案している（例えば、特許文献１参照）。
【０００３】
本発明者らは、器具本体上に取り付けられている２つの安定器を覆うカバーを備えた照明器具を既に提案している（例えば、特許文献２参照）。
【先行技術文献】
【特許文献】
【０００４】
【特許文献１】特開２００９−５４４８８号公報（図１、請求項１）
【特許文献２】特開２００６−３０２５３３号公報（図１、請求項１）
【発明の概要】
【発明が解決しようとする課題】
【０００５】
ところで、上記特許文献１および上記特許文献２に開示された照明器具において、電子式安定器を覆う充電部保護カバーを兼ねたブロックカバーの形状は、一般的に直方体であり、デザイン性を考慮して天面の全稜線のＣ面を設けている。
【０００６】
電子式安定器の器具本体上の配置に関しては、回転取付けされるグローブの取付け時のグローブ軌跡と干渉しないように電子式安定器を配置するために、電子式安定器のサイズの規制が厳しい。
従って、グローブの位置決め性の向上のために、複数のガイド部品を取り付けていた。
【０００７】
本発明は、前述した課題を解決するためになされたものであり、その目的は、簡単な構造でグローブの位置決め性を良好にして施工性の向上を図ることができる照明器具を提供することにある。
【課題を解決するための手段】
【０００８】
本発明に係る照明器具は、器具本体と、前記器具本体上に取り付けられた電子式安定器と、前記電子式安定器を覆い、充電部保護カバーを兼ねるブロックカバーと、前記ブロックカバーの下方に配置された蛍光灯ランプと、前記蛍光灯ランプを含む前記器具本体の下面全体を覆う透光性のグローブと、前記器具本体の外周に取り付けられて前記グローブを回転取付するグローブ止め具と、を備えた照明器具であって、前記ブロックカバーの一部に前記グローブを前記器具本体へ誘導するためのガイド部を設けたことを特徴とする。
【０００９】
本発明においては、グローブを器具本体に取り付けるに際し、グローブを器具本体に向けて進行させていくことにより、グローブがブロックカバーのガイド部に当接し、ガイド部によりグローブがグローブ止め具に合う位置に誘導されていく。
これにより、従来のもののようにグローブの位置のための複数のガイド部品を取り付けることなく、グローブが位置決めされる。
従って、簡単な構造でグローブの位置決め性を良好にして施工性の向上を図ることができる。
【００１０】
本発明に係る照明器具は、上記構成の照明器具において、前記ガイド部は、前記器具本体の外周部に向かうほど天井面に接近するように傾斜していることを特徴とする。
【００１１】
本発明においては、グローブを器具本体に向けて進行させていき、グローブがブロックカバーのガイド部に当接した際に、ガイド部が器具本体の外周部に向かうほど天井面に接近するように傾斜している。
従って、グローブをグローブ止め具に合う位置に確実に誘導することができる。
【００１２】
本発明に係る照明器具は、上記構成の照明器具において、前記ガイド部は、回転取付けされる前記グローブの取付け時に最初に前記器具本体側に接する箇所の回転軌跡上に配置されていることを特徴とする。
【００１３】
本発明においては、ブロックカバーのガイド部をグローブの取付け時に最初に器具本体側に接する箇所の回転軌跡上に配置した。
これにより、グローブに有する取付部の軌跡のスペースを電子式安定器の配置スペースとして利用することができる。
従って、従来のものと比べて、電子式安定器の実装面積を増すことができ、電子式安定器の面積（体積）を増大させることにより温度条件が緩和されるために寿命伸長や安価な電子部品の採用が可能となる。
【発明の効果】
【００１４】
本発明の照明器具によれば、電子式安定器を覆い、充電部保護カバーを兼ねるブロックカバーの一部にグローブを器具本体へ誘導するためのガイド部を設けた。
これにより、簡単な構造でグローブの位置決め性を良好にして施工性の向上を図ることができるという効果を有する。
【図面の簡単な説明】
【００１５】
【図１】本発明に係る第１実施形態の照明器具の垂直断面図
【図２】図１に示した照明器具の底面図
【図３】本発明に係る第２実施形態の照明器具の垂直断面図
【図４】図３に示した照明器具の底面図
【図５】本発明に係る第３実施形態の照明器具の垂直断面図
【図６】図５に示した照明器具の底面図
【発明を実施するための形態】
【００１６】
以下、本発明の複数の実施形態に係る照明器具について図面を参照して説明する。
【００１７】
（第１実施形態）
図１に示すように、本発明の第１実施形態である照明器具１０は、器具本体１１と、器具本体１１上に取り付けられた電子式安定器１２と、電子式安定器１２を覆い、充電部保護カバーを兼ねるブロックカバー１３と、ブロックカバー１３の下方に配置された２重管環状の蛍光灯ランプ１４と、蛍光灯ランプ１４を含む器具本体１１の下面全体を覆う透光性のグローブ１５と、器具本体１１の外周に取り付けられてグローブ１５を回転取付するグローブ止め具１６と、を備える。
【００１８】
器具本体１１は、金属製で円板形状に形成されている。器具本体１１の中央部には開口部１７を有する。グローブ止め具１６は器具本体１１の外縁部の円周上の３カ所に１２０度間隔でそれぞれ取り付けられている。
【００１９】
電子式安定器１２は、インバータ回路を含む電子部品により構成されており、器具本体１１の開口部１７の側部に固定されている。電子式安定器１２の側部には不図示の充電部が配置されている。
【００２０】
ブロックカバー１３は、鋼板製であって直方体形状の外形に形成されている。ブロックカバー１３は電子式安定器１２を覆うとともに充電部の保護カバーを兼ねる。
【００２１】
ブロックカバー１３は、その外周の一部にガイド部１８を床面に向けて突出形成している。ガイド部１８は器具本体の外周部に向かうほど天井面１に接近するように傾斜している。ガイド部１８はブロックカバー１３に一体成形されるのが好ましいが、一体成形に代えて別部材として形成してブロックカバー１３に組み付けるようにしても良い。
【００２２】
２重管環状の蛍光灯ランプ１４は、それらの一部に口金１９を有し、器具本体１１に取り付けられている複数のランプ保持部品２０により器具本体１１に保持されている。
【００２３】
グローブ１５は、例えば乳白色の樹脂材料を用いて床面側を凸とした略半球形状に形成されている。グローブ１５は、その内周面２１の円周上の１２０度間隔の３カ所に、係合突起形状をなして中心に向けて突出した取付部２２をそれぞれ有する。取付部２２はグローブ止め具１６にそれぞれ係合される。
【００２４】
図２に示すように、器具本体１１は、開口部１７にアダプタ取付部品２３を介して電源給電アダプタ２４が装着されている。電源給電アダプタ２４は天井面１に設けられている不図示の省施工用部品に引掛接続されることにより器具本体１１に電源を引き込む。
【００２５】
ブロックカバー１３の一部には凹部２５が形成されている。凹部２５には器具本体１１に取り付けられていて照明状態を制御する赤外線リモコン信号を受信する受光素子２６と、常夜灯２７と、受信信号のチャンネル切換えやリセット等を司る操作スイッチ２８とが露出している。
【００２６】
ブロックカバー１３のガイド部１８はブロックカバー１３に有する底板２９の角部分において三角錐形状に形成されている。ガイド部１８は蛍光灯ランプ１４の外側に配置される。
【００２７】
グローブ１５の器具本体１１への取付けにあたり、まず、内周面２１を器具本体１１に向けてグローブ１５を進行させていく。
【００２８】
グローブ１５が器具本体１１に近付くと、グローブ１５の内周面２１がブロックカバー１３のガイド部１８に当接する。
【００２９】
そして、グローブ１５はガイド部１８によりグローブ止め具１６に合う位置に誘導されていき、グローブ１５の内周面２１がグローブ止め具１６に支持される。
【００３０】
次に、グローブ１５を予め定められた角度だけ回動させることにより、グローブ１５の取付部２２がグローブ止め具１６にそれぞれ係合されてグローブ１５が器具本体１１に保持される。
【００３１】
本発明の第１実施形態の照明器具１０では、グローブ１５を器具本体１１に取り付けるに際し、グローブ１５を器具本体１１に向けて進行させていくことにより、グローブ１５の内周面２１がブロックカバー１３のガイド部１８に当接し、ガイド部１８によりグローブ１５がグローブ止め具１６に合う位置に誘導されていく。
これにより、従来のもののようにグローブの位置のための複数のガイド部品を取り付けることなく、グローブ１５が位置決めされる。
従って、簡単な構造でグローブ１５の位置決め性を良好にして施工性の向上を図ることができる。
【００３２】
本発明の第１実施形態の照明器具１０では、グローブ１５を器具本体１１に向けて進行させていき、グローブ１５の内周面２１がブロックカバー１３のガイド部１８に当接した際に、ガイド部１８が器具本体１１の外周部に向かうほど天井面１に接近するように傾斜している。
従って、グローブ１５をグローブ止め具１６に合う位置に確実に誘導することができる。
【００３３】
（第２実施形態）
次に、本発明の第２実施形態の照明器具について説明する。なお、以下の各実施形態において、上述した第１実施形態と重複する構成要素や機能的に同様な構成要素については、図中に同一符号あるいは相当符号を付することによって説明を簡略化あるいは省略する。
【００３４】
図３、図４に示すように、本発明の第２実施形態の照明器具３０は、外周の一部に傾斜状のガイド部３２を有するブロックカバー３１を備えている。
【００３５】
ブロックカバー３１のガイド部３２はブロックカバー３１に有する底板２９の角部分において三角錐形状に切除されて形成されている。
【００３６】
このような照明器具３０は、グローブ１５の器具本体１１への取付けにあたり、グローブ１５を器具本体１１に近付けながら進行させていくことにより、グローブ１５の内周面２１がブロックカバー３１のガイド部３２に当接する。
【００３７】
そして、グローブ１５はガイド部３２によりグローブ止め具１６に合う位置に誘導されていき、グローブ１５の内周面２１がグローブ止め具１６に支持される。
【００３８】
次に、グローブ１５を予め定められた角度だけ回動させることにより、グローブ１５の取付部２２がグローブ止め具１６にそれぞれ係合されてグローブ１５が器具本体１１に保持される。
【００３９】
本発明の第２実施形態の照明器具３０は第１実施形態と同様の作用効果を奏する。特に、本実施形態では、ブロックカバー３１の成形時にガイド部３２を同時に形成することができる。
従って、新たな金型等を必要とせずに既存の金型への小改良で作成を行えるのでコスト面で有利である。
【００４０】
（第３実施形態）
次に、本発明の第３実施形態の照明器具について説明する。
図５、図６に示すように、本発明の第３実施形態の照明器具４０は、外周の一部に傾斜状のガイド部４２を有するブロックカバー４１を備え、ブロックカバー４１のガイド部４２をグローブ１５の取付け時に最初に器具本体１１側に接する箇所の回転軌跡スペースＡに重なるように配置した。
【００４１】
このような照明器具４０は、グローブ１５の器具本体１１への取付けにあたり、グローブ１５を器具本体１１に近付けながら進行させていく際に、グローブ１５の内周面２１が最初に器具本体１１側に接するブロックカバー４１においてグローブ１５の回転軌跡Ａに重なる位置にガイド部４２が配置されている。
【００４２】
そして、グローブ１５はガイド部４２によりグローブ止め具１６に合う位置に誘導されていき、グローブ１５の内周面２１がグローブ止め具１６に支持される。
【００４３】
次に、グローブ１５を予め定められた角度だけ回動させることにより、グローブ１５の取付部２２がグローブ止め具１６にそれぞれ係合されてグローブ１５が器具本体１１に保持される。
【００４４】
本発明の第３実施形態の照明器具４０では、ブロックカバー４１のガイド部４２をグローブ１５の取付け時に最初に器具本体１１側に接する箇所の回転軌跡スペースＡ上に配置した。
これにより、グローブ１５に有する取付部２２の回転軌跡スペースＡを電子式安定器１２の配置スペースとして利用することができる。
従って、従来のものと比べて、電子式安定器１２の実装面積を増すことができ、電子式安定器１２の面積（体積）を増大させることにより温度条件が緩和されるために寿命伸長や安価な電子部品の採用が可能となる。
【００４５】
なお、前記各実施形態で使用した器具本体１１、電子式安定器１２、蛍光灯ランプ１４、グローブ１５等は例示したものに限定するものではなく適宜変更が可能である。
【符号の説明】
【００４６】
１  天井面
１０、３０、４０  照明器具
１１  器具本体
１２  電子式安定器
１３、３１、４１  ブロックカバー
１４  蛍光灯ランプ
１５  グローブ
１６  グローブ止め具
１８、３２、４２  ガイド部
【図１】
2010251211.tif 000003
【図２】
2010251211.tif 000004
【図３】
2010251211.tif 000005
【図４】
2010251211.tif 000006
【図５】
2010251211.tif 000007
【図６】
2010251211.tif 000008